(57)【要約】      （修正有）【課題】気密室の開口が扉若しくは蓋によって閉塞されるときに、開口を囲むように配置されたガスケットのガスケット当たりが当該開口の全周に亘って一様となるようなガスケットを提供する。【解決手段】ガスケットＧは、開口を有する第１の部材、又は前記開口を閉塞する第２の部材の一方に取り付けられるガスケット本体部１０と、先端側２２がガスケット本体部１０の上端面１２ａに対して傾斜し、ガスケット本体部１０の取り付けられた第１の部材又は第２の部材と反対側の部材に気密状態で接するようにガスケット本体部１０から伸びる気密保持片２０と、ガスケット本体部１０に対する気密保持片２０の先端側２２の接近を許容しつつガスケット本体部１０と気密保持片２０とを連結する位置保持部３０とを備える。【選択図】図４
2010084927.tif 000002
【特許請求の範囲】
【請求項１】
開口を有する第１の部材と前記開口を閉塞する第２の部材とを有して前記開口が前記第２の部材で閉塞されることにより気密室が形成される構造体に用いられ、前記開口の周囲で前記第１の部材と前記第２の部材との間を密閉して前記気密室の気密状態を保持するために前記開口の周囲に沿って配置できる長さを有するガスケットであって、
前記第１の部材の開口周縁部、又は前記第２の部材における前記開口周縁部に対応する部位の一方に取り付けられ、この取り付けられた部位と反対側の端部に当該取り付けられた部位と平行な上端面を有するガスケット本体部と、
弾性体で形成され、このガスケットの長手方向の任意の位置での横断面において、先端側が前記上端面に対して傾斜し、この傾斜した先端側が前記開口が閉塞されるときに前記ガスケット本体部の取り付けられた第１の部材又は第２の部材と反対側の部材に対して気密状態で接するように前記ガスケット本体部から伸びる気密保持片と、
前記ガスケット本体部に対する前記気密保持片の先端側の接近を許容しつつ当該ガスケット本体部と当該気密保持片とを連結する位置保持部とを備えることを特徴とするガスケット。
【請求項２】
前記位置保持部は、弾性体で形成され、前記横断面において、その中間部が屈曲又は湾曲するように前記ガスケット本体部の上端面と前記気密保持片の先端側の前記上端面を臨む面とを連結することを特徴とする請求項１に記載のガスケット。
【請求項３】
前記位置保持部は、前記ガスケットの長手方向に連続し、当該位置保持部にはこの位置保持部と前記ガスケット本体部と前記気密保持片とで囲まれた中空部と外部とを連通する連通部が形成されることを特徴とする請求項１又は２に記載のガスケット。
【請求項４】
前記ガスケット本体部は、前記第１の部材の開口周縁部、又は前記第２の部材の前記対応する部位に沿って設けられる溝状の凹部に挿入される挿入片を有し、この挿入片には、前記溝状の凹部への挿入方向と交差する方向に突出して前記溝状の凹部内に突出している突出部と係合可能な係合部が設けられることを特徴とする請求項１乃至３の何れか１項に記載のガスケット。
【発明の詳細な説明】
【技術分野】
【０００１】
本発明は、開口を有する本体部とこの開口を閉塞する扉（又は蓋）とを備えて開口が扉により閉塞されることで気密室が形成される構造体において、前記開口が扉によって閉塞されるときに前記開口の周囲で前記扉と前記本体部との間を密閉し、前記気密室の密閉状態を保持するためのガスケットに関する。
【背景技術】
【０００２】
従来から、ガスケットとしては、特許文献１に記載のガスケットが知られている。このガスケットは、容器等の本体部に形成された矩形状の開口の開口周縁部に沿って取り付けられ、前記開口が扉（又は蓋）によって閉塞されたときに、前記本体部と前記扉との間を密閉して前記本体部の気密室の気密状態を保持するものである。
【０００３】
具体的には、ガスケットは、図１１に示されるように、長手方向と直交する方向の断面（横断面）において、容器等の開口周縁部の前記開口に沿って設けられた嵌合部に挿入係止される係合部１０２と、中空部１０４ａが形成されたガスケット本体部１０４と、このガスケット本体部１０４から伸び、当該ガスケット本体部１０４の表面を覆う方向へ湾曲した気密保持片（舌片）１０６とを備える。この気密保持片１０６は、前記本体部の開口が扉によって閉塞されたときに、前記開口の全周に亘って扉と気密状態で接することにより、前記気密室の気密状態を保持することができる。
【特許文献１】特開平９−１５２０３７号公報
【発明の開示】
【発明が解決しようとする課題】
【０００４】
前記のガスケット１００が矩形状の開口に沿って囲むように取り付けられる場合、前記開口の角部においては、ガスケット１００を直角に屈曲させて取り付けなければならず、この部位では図１２に示すようにガスケット本体部１０４が変形し、これにより気密保持片１０６が起き上がった状態となる。
【０００５】
即ち、前記矩形状の開口に沿ってガスケット１００が取り付けられると、前記開口の周囲において角部では気密保持片１０６が起き上がった状態（図１２参照）となり、他の部位では気密保持片１０６の起き上がりが生じていない状態（自然状態の位置：図１１参照）となる。
【０００６】
特許文献１においては、この角部での気密保持片１０６の起き上がりによって、前記気密室の密閉性（気密性）を保持することが可能となる旨記載されているが、ガスケット１００が取り付けられる扉や容器等の構造や使用目的によっては、前記開口の全周における扉等と気密保持片１０６との接触状態（ガスケット当たり）が一様でないと気密室の気密性を保持できない場合がある。
【０００７】
そこで、本発明は、上記問題点に鑑み、気密室の開口が扉若しくは蓋によって閉塞されるときに、前記開口を囲むように配置されたガスケットのガスケット当たりが当該開口の全周に亘って一様となるようなガスケットを提供することを課題とする。
【課題を解決するための手段】
【０００８】
そこで、上記課題を解消すべく、本発明に係るガスケットは、開口を有する第１の部材と前記開口を閉塞する第２の部材とを有して前記開口が前記第２の部材で閉塞されることにより気密室が形成される構造体に用いられ、前記開口の周囲で前記第１の部材と前記第２の部材との間を密閉して前記気密室の気密状態を保持するために前記開口の周囲に沿って配置できる長さを有するガスケットであって、前記第１の部材の開口周縁部、又は前記第２の部材における前記開口周縁部に対応する部位の一方に取り付けられ、この取り付けられた部位と反対側の端部に当該取り付けられた部位と平行な上端面を有するガスケット本体部と、弾性体で形成され、このガスケットの長手方向の任意の位置での横断面において、先端側が前記上端面に対して傾斜し、この傾斜した先端側が前記開口が閉塞されるときに前記ガスケット本体部の取り付けられた第１の部材又は第２の部材と反対側の部材に対して気密状態で接するように前記ガスケット本体部から伸びる気密保持片と、前記ガスケット本体部に対する前記気密保持片の先端側の接近を許容しつつ当該ガスケット本体部と当該気密保持片とを連結する位置保持部とを備えることを特徴とする。
【０００９】
かかる構成によれば、前記開口が閉塞されるときに、前記気密保持片の先端側が前記ガスケット本体部の取り付けられた第１の部材又は第２の部材と反対側の部材と接し、さらに前記第１の部材と第２の部材との間を狭くして前記気密保持片が前記ガスケット本体部側に押し倒されることにより、その弾性力によって自然状態の位置まで復帰しようとする当該気密保持片の先端側と当該先端側が接している前記第１の部材又は前記第２の部材とが密着して、前記気密室の気密状態が保持される。
【００１０】
また、前記開口が多角形状等で角部を有する場合の開口の角部においては、当該ガスケット本体部が前記角部に沿って折り曲げられることで前記気密保持片が前記ガスケット本体部の上端面に対して自然状態の位置から起き上がろうとしたときに、この起き上がりが前記位置保持部によって引き止められる。そのため、前記開口が閉塞されるときに前記開口の全周に亘って前記気密保持片と前記第１の部材又は前記第２の部材との接触状態、即ち、ガスケット当たりが一様となる。
【００１１】
尚、本発明において自然状態の位置とは、前記気密保持片に力が加わっていない自然状態での当該気密保持片の位置のことをいう。
【００１２】
本発明に係るガスケットにおいては、前記位置保持部は、弾性体で形成され、前記横断面において、その中間部が屈曲又は湾曲するように前記ガスケット本体部の上端面と前記気密保持片の先端側の前記上端面を臨む面とを連結する構成が好ましい。
【００１３】
このように構成されることで、前記位置保持部は、前記気密保持片が自然状態の位置から起き上がろうとしたときに前記気密保持片を引っ張って前記起き上がりを抑制する一方、前記気密保持片の先端側と当該先端側が接する前記第１の部材又は前記第２の部材とをより密着させるために前記第１の部材と前記第２の部材との間を狭くして前記気密保持片の先端側を前記ガスケット本体側に押し倒すときにこの押し倒しを妨げない。
【００１４】
即ち、前記気密保持片が自然状態の位置から起き上がろうとしたときに、前記上端面とこの上端面を臨む面とが前記位置保持部によって互いに連結されているために当該位置保持部によって引っ張られ、前記気密保持片の自然状態の位置からの起き上がりが抑制される一方、前記第１の部材と前記第２の部材との間隔を狭くして前記気密保持片の先端側が前記ガスケット本体部側に押し倒される（前記面同士が互いに接近する）ときに、前記位置保持部が突っ張り棒のようにならず前記横断面に沿って前記中間部で折れ曲がるため、前記押し倒しが妨げられない。
【００１５】
しかも、前記位置保持部は、弾性体で形成されているため、前記のように折れ曲がる（弾性変形する）と元に戻ろうとして前記先端側が接する前記第１の部材、又は前記第２の部材に当該気密保持片の先端側を押し付けるため気密性がより向上する。
【００１６】
前記位置保持部は、前記ガスケットの長手方向に連続し、当該位置保持部にはこの位置保持部と前記ガスケット本体部と前記気密保持片とで囲まれた中空部と外部とを連通する連通部が形成されるのが好ましい。
【００１７】
このように、前記位置保持部が前記ガスケットの長手方向に連続することで、前記第１の部材、又は前記第２の部材に前記ガスケットが取り付けられたときに、当該ガスケットの長手方向のいずれの位置においても、前記気密保持片の先端側の自然状態の位置からの前記上端面に対する起き上がりが抑制される。
【００１８】
また、前記連通部によって外部から前記中空部内への空気の出入りが可能となるため、雰囲気温度によって前記中空部内の空気が加熱又は冷却されることで膨張又は収縮しても、この中空部内の空気が前記連通部から出入りすることによって当該ガスケットの変形が抑制される。
【００１９】
しかも、前記連通部が前記位置保持部にのみ形成されることで、前記気密保持片や前記ガスケット本体部の気密性や強度の低下を生じさせることなく雰囲気温度による前記ガスケットの変形の抑制が可能となる。
【００２０】
また、前記ガスケット本体部は、前記第１の部材の開口周縁部、又は前記第２の部材の前記対応する部位に沿って設けられる溝状の凹部に挿入される挿入片を有し、この挿入片には、前記溝状の凹部への挿入方向と交差する方向に突出して前記溝状の凹部内に突出している突出部と係合可能な係合部が設けられてもよい。
【００２１】
かかる構成によれば、前記挿入片が前記溝状の凹部に挿入されることで前記係合部が前記凹部内の突出部と係合し、前記ガスケット本体部が前記第１の部材、又は前記第２の部材に取り付けられるため、接着やリベット等によって取り付ける必要がなく、当該ガスケットの前記第１の部材、又は前記第２の部材への着脱が容易になる。
【発明の効果】
【００２２】
以上より、本発明によれば、気密室の開口が扉若しくは蓋によって閉塞されるときに、前記開口を囲むように配置されたガスケットのガスケット当たりが当該開口の全周に亘って一様となるようなガスケットを提供することができる。
【発明を実施するための最良の形態】
【００２３】
以下、本発明の一実施形態について、以下の図１乃至図８（ｂ）を参照しつつ説明する。
【００２４】
図１は、ガスケットの正面図である。背面図は、図１の正面図と左右対称にあらわれるため省略する。図２（ａ）はガスケットの左側面図であり、図２（ｂ）は中間省略を用いた参考図であり、図２（ｃ）は、ガスケットの右側面図である。図３（ａ）は、ガスケットの平面図であり、図３（ｂ）は、ガスケットの底面図である。図４は、ガスケットの拡大正面図である。図５（ａ）は、Ａ−Ｂ部拡大左側面図であり、図５（ｂ）は、Ａ−Ｂ部拡大右側面図である。図６（ａ）は、Ａ−Ｂ部拡大平面図であり、図６（ｂ）は、Ａ−Ｂ部拡大底面図である。図７（ａ）は、Ｃ−Ｃ断面図であり、図７（ｂ）は、Ｄ−Ｄ断面図である。図８（ａ）は、ガスケットの使用状態を示す参考図であり、図８（ｂ）は、ガスケットの取り付け状態を示す参考図である。尚、本実施形態に係るガスケットは、図２（ａ）の左側面図において、左右にのみ連続する。
【００２５】
前記の図１乃至図８（ｂ）に示される本実施形態に係るガスケットＧは、信頼性試験等の環境試験を行うための環境試験装置５０に用いられる（図８（ａ）参照）。この環境試験装置５０は、開口５２を有する試験槽（第１の部材）５４と開口５２を閉塞する扉（第２の部材）５６とを有し、開口５２が扉５６で閉塞されることにより槽内空間（気密室）Ｓが形成される。ガスケットＧは、本実施形態においては、環境試験装置５０の扉５６に取り付けられ、この扉５６によって試験槽５４の開口５２が閉塞されるときに、開口５２の周囲で扉５６と試験槽５４との間を密閉して槽内空間Ｓの気密状態を保持するためのものである（図８（ｂ）参照）。このガスケットＧは、開口５２の周囲で気密状態を保持するために当該開口５２の周囲に沿って配置できる長さを有する。
【００２６】
尚、ガスケットＧは、扉５６ではなく、試験槽５４の開口周縁部５４ａに取り付けられてもよい。また、ガスケットＧが取り付けられるのは、蓋等の部材で気密状に塞ぐ部屋を有する槽であればよく、環境試験装置５０に限定されるわけではない。
【００２７】
以下、ガスケットＧについて具体的に説明する。尚、以下の説明における方向（上下や左右等）は、図４を基準とする。
【００２８】
ガスケットＧは、弾性材料（弾性体）により形成されており、本実施形態においては、シリコンゴムによって形成されている。図４に示すように、このガスケットＧは、扉５６に取り付けられる本体部（ガスケット本体部）１０と、本体部１０から伸びる気密保持片２０と、本体部１０と気密保持片２０とを連結する位置保持部３０とを備え、射出成型、プレス成型等によって一体成型される。ガスケットＧは、後述する位置保持部３０の連通孔（連通部）３４が設けられた位置を除き、当該ガスケットＧの長手方向（図４において紙面と直交する方向）の任意の位置における当該長手方向と直交する方向の断面形状が正面図（図１及び図４）における形状と同一形状となるように形成されている。
【００２９】
本体部１０は、気密保持片２０や位置保持部３０が設けられる基準部１２と、この基準部１２の下側に設けられ、扉５６における試験槽５４の開口周縁部５４ａに対応する部位（取付部位）５６ａ（図８（ａ）参照）に着脱可能に取り付けられる挿入部（挿入片）１４とを有する。
【００３０】
基準部１２は、図４において左側に向かって水平若しくは略水平に伸び、上端に上端面１２ａを有する。基準部１２の基部（図４においては右側端部）からは上側に気密保持片２０が伸びると共に、下側に挿入部１４が伸びる。また、基準部１２の先端部（図４においては左側端部）からは上側に位置保持部３０が伸び、そのさらに先端側（図４においては左側端縁）が下方に向かって屈曲している。
【００３１】
挿入部１４は、基準部１２から所定距離だけ垂下するように伸びる垂下部１４ｂと、この垂下部１４ｂの下端から左側に向かって基準部１２と平行若しくは略平行となるように伸びる先端部１４ａとを有する。この挿入部１４の先端部１４ａは、途中から先端に向かって厚みが漸減し、先端に係合部１６が設けられている。
【００３２】
係合部１６は、挿入部１４の先端部１４ａが伸びる方向（水平方向）と交差する方向に突出している。具体的には、係合部１６は、挿入部１４の先端から右上方に向かって伸びた部位である。
【００３３】
気密保持片２０は、本体部１０が環境試験装置５０の扉５６に取り付けられたときに、試験槽５４の開口周縁部５４ａ側に本体部１０（基準部１２）から伸びている部位であり、その先端側に本体部１０の基準部１２（上端面１２ａ）に対して傾斜する傾斜部２２を有する。この傾斜部２２は、試験槽５４の開口５２が扉５６により閉塞されるときに、試験槽５４の開口周縁部５４ａに対して傾斜した状態で且つ当該開口周縁部５４ａと気密状態で接する部位である（図８（ｂ）参照）。具体的には、気密保持片２０は、基準部１２の基部（右側端部）から上方に所定距離伸びたあと基準部１２に沿って（水平に）伸びる気密保持片基部２４と、この気密保持片基部２４の先端から左上方へ向かって斜めに伸びる傾斜部２２とを有する。これら気密保持片基部２４と傾斜部２２との連接位置は、図４の水平方向における基準部１２の略中央に相当する位置である。
【００３４】
傾斜部２２は、先端に向かって薄くなるように形成され、上面（基準部１２を臨む面と反対側の面）における気密保持片基部２４との連接位置近傍に当該傾斜部２２と略直交する方向に伸びる立上り部２６が設けられ、下面（基準部１２を臨む面）には長手方向に沿った複数本（図４では３本）の溝ｍが設けられている。
【００３５】
位置保持部３０は、本体部１０（基準部１２）に対する気密保持片２０の先端側（傾斜部２２）の接近を許容しつつ本体部１０と気密保持片２０の中間部位とを連結する部位である。また、位置保持部３０は、気密保持片２０の先端側の基準部１２に対する起き上がりを抑制する部位でもある。具体的には、位置保持部３０は、下端が基準部１２の先端部に接合されると共に上端が気密保持片２０の傾斜部２２に接合されるように基準部１２と傾斜部２２とを連結している。詳細には、位置保持部３０は、基準部１２の傾斜部２２を臨む面（上端面）１２ａにおける先端側部位と、傾斜部２２の基準部１２を臨む面２２ａにおける気密保持片基部２４側部位とを連結している。尚、位置保持部３０の上端は、傾斜部２２の前記基準部１２を臨む面２２ａ上であればより先端側に接続されてもよく、位置保持部３０の下端は、基準部１２の上端面１２ａ上であればより基部側に接続されてもよい。
【００３６】
この位置保持部３０は、その中間部が屈曲している。本実施形態においては、位置保持部３０の中間部は、基準部１２と気密保持片２０と位置保持部３０とで囲まれた中空部３２の外側に向かって膨出するように屈曲しているが、これに限定されず、内側に向かって膨出するように屈曲してもよい。この屈曲部位は、本実施形態の位置に限定されず、より上端側（傾斜部２２側）又はより下端側（基準部１２側）であってもよい。また、位置保持部３０は、その中間部が前記内側又は外側に向かって円弧状に膨出するように湾曲していてもよい。
【００３７】
この位置保持部３０には、図２（ａ）、図５、図７（ａ）及び図７（ｂ）にも示されるように、中空部３２と外部とを連通する連通孔３４が設けられている。この連通孔３４は、本実施形態においては、長手方向に一定の間隔をおいて複数設けられている（図２（ｂ）参照）。
【００３８】
以上のように構成されるガスケットＧは、図８（ａ）及び図８（ｂ）に示すように扉５６における試験槽５４の開口周縁部５４ａに対応する部位（取付部位）５６ａに取り付けられる。
【００３９】
この扉５６の取付部位５６ａは、取付部材５８を有し、この取付部材５８によってガスケットＧの挿入部１４が挿入される溝状の取付凹部６０が形成される。詳細には、取付部材５８は、扉５６が試験槽５４の開口５２を閉塞したときに開口（本実施形態においては、矩形の開口）５２の周囲を囲うように扉５６に取り付けられ、槽内空間Ｓ側の端縁（図８（ｂ）においては右側端縁）と扉５６との間に開口５２の径方向に窪んだ溝状の取付凹部６０を形成する。この取付凹部６０は、開口５２に沿って当該開口５２を囲むように形成されており、取付凹部６０内にはガスケットＧの挿入部１４が挿入されたときに、この挿入部１４の係合部１６と係合する突出部６２が突出している（図１０参照）。
【００４０】
このように構成される取付凹部６０内にガスケットＧの挿入部１４の先端部１４ａが挿入（圧入）される。そうすると、係合部１６が挿入部１４の先端部１４ａ側に折畳まれた状態で当該挿入部１４の先端部１４ａが取付凹部６０内に入り込み、係合部１６が突出部６２と係合して、ガスケットＧが係止される（図１０参照）。
【００４１】
このように扉５６に取り付けられたときに、本実施形態に係るガスケットＧでは開口５２の角部Ｃ（図８（ａ）参照）においても位置保持部３０により気密保持片２０の基準部１２（上端面１２ａ）に対する起き上がりが抑制される。
【００４２】
具体的には、開口５２が多角形状（本実施形態では矩形状）で角部を有する場合において、この開口５２の周囲を囲むようにガスケットＧが取り付けられたときに、当該開口５２の角部Ｃにおいては本体部１０が前記角部Ｃに沿って折り曲げられ（図１０においては本体部１０が右側に折り曲げられ）、これにより気密保持片２０が基準部１２に対して自然状態の位置から起き上がろうとする。即ち、基準部１２の基部側が開口５２の内側を向くように本体部１０が折り曲げられると、これにより気密保持片２０が起き上がろうとする。この場合、例えば、図９に示されるように、位置保持部３０がなければ、気密保持片２０は、自然状態の位置ＮＰから起き上がり状態の位置ＳＰ２まで大きく起き上がる。しかし、図１０に示す本実施形態のガスケットＧのように、位置保持部３０が設けられることにより、気密保持片２０は、自然状態の位置ＮＰから位置ＳＰ１までの僅かな起き上がりに抑制される。
【００４３】
詳細には、基準部１２の上端面１２ａと傾斜部２２における前記上端面１２ａを臨む面２２ａとが位置保持部３０によって互いに連結されているため、気密保持片２０が自然状態の位置ＮＰから起き上がろうとしたときに（傾斜部２２が基準部１２から離間しようとしたときに）、当該位置保持部３０によって引っ張られ気密保持片２０の自然状態の位置ＮＰからの起き上がりが抑制される。そのため、気密保持片２０が開口５２の全周に亘って自然状態の位置若しくは略自然状態の位置となり、開口５２が扉５６により閉塞されるときに開口５２の全周に亘って気密保持片２０（傾斜部２２）と試験槽５４の開口周縁部５４ａとの接触状態、即ち、ガスケット当たりが一様となる。その結果、槽内空間Ｓの気密状態が好適に保持される。
【００４４】
また、当該ガスケットＧにおいては、位置保持部３０が長手方向に連続するため、長手方向の何れの位置においても位置保持部３０により気密保持片２０の起き上がりが抑制され、これにより長手方向の何れの部位が開口５２の角部Ｃに取り付けられても当該角部Ｃにおける気密保持片２０の起き上がりが抑制される。
【００４５】
以上のように扉５６に取り付けられたガスケットＧは、以下のようにして扉５６の取付部位５６ａと試験槽５４の開口周縁部５４ａとの間を密閉し、槽内空間Ｓを気密状態にする。
【００４６】
ガスケットＧを取り付けられた扉５６が閉じると、気密保持片２０の傾斜部２２が試験槽５４の開口周縁部５４ａに接する。さらに扉５６が閉じられ当該扉５６と試験槽５４の開口周縁部５４ａとの間が狭くなると、気密保持片２０の傾斜部２２が試験槽５４の開口周縁部５４ａにより基準部１２に向かって押し倒される。気密保持片２０はシリコンゴム（弾性体）で形成されているため、傾斜部２２が撓るように弾性変形して押し倒される。このとき、傾斜部２２は、基準部１２を臨む面２２ａ側に長手方向に沿った複数の溝ｍが設けられているため撓り易い。
【００４７】
このようにして押し倒された当該気密保持片２０の傾斜部２２は、その弾性力によって自然状態の位置まで復帰しようとすることで試験槽５４の開口周縁部５４ａに気密状態で密着し、これにより槽内空間Ｓの気密状態が保持される。
【００４８】
また、前記のように扉５６が閉じるときに、位置保持部３０は、傾斜部２２の基準部１２への接近を妨げない。即ち、位置保持部３０は、傾斜部２２と試験槽５４の開口周縁部５４ａとをより密着させるために扉５６と試験槽５４の開口周縁部５４ａとの間を狭くして傾斜部２２を基準部１２側に押し倒すときに、この押し倒しを妨げない。具体的には、扉５６と試験槽５４の開口周縁部５４ａとの間隔を狭くして気密保持片２０の傾斜部２２が基準部１２側に押し倒されるときに、位置保持部３０が突っ張り棒のようにならず、屈曲している中間部で折れ曲がるため、前記の押し倒しが当該位置保持部３０によって妨げられない。しかも、位置保持部３０は、シリコンゴムで形成されているため、前記のように折れ曲がる（弾性変形する）と元に戻ろうとして試験槽５４の開口周縁部５４ａに傾斜部２２を押し付け、これにより気密性がより向上する。
【００４９】
環境試験装置５０では、槽内空間Ｓの気密状態を保持しつつ当該槽内空間Ｓ内の温度を変化させることで試料に対して環境試験が行われる。このとき、ガスケットＧは、槽内空間Ｓ内の高温又は低温になった空気に曝される。そのため、この熱が中空部３２に伝わって当該中空部３２内の空気が高温又は低温となり、膨張又は収縮する。このように雰囲気温度によって中空部３２内の空気が加熱又は冷却されることで膨張又は収縮しても、この中空部３２内の空気が連通孔３４から出入りすることによって当該ガスケットＧの変形が抑制され、これにより扉５６と試験槽５４の開口周縁部５４ａとの間の気密性が保たれる。その結果、槽内空間Ｓ内の温度（空気の温度）に関わらず、当該槽内空間Ｓの気密状態が好適に維持される。しかも、連通孔３４が位置保持部３０にのみ形成されることで、気密保持片２０や本体部１０の気密性や強度の低下を生じさせることなく雰囲気温度によるガスケットＧの変形の抑制が可能となる。
【００５０】
尚、本発明のガスケットＧは、上記実施形態に限定されるものではなく、本発明の要旨を逸脱しない範囲内において種々変更を加え得ることは勿論である。
【００５１】
例えば、本実施形態においては、位置保持部３０は、ガスケットＧの長手方向に連続するように設けられているが、これに限定されず、扉５６や試験槽５４の開口周縁部５４ａにガスケットＧが取り付けられたときに、少なくとも開口５２の角部Ｃに位置する部位に位置保持部３０が設けられていればよい。このように構成されても、開口５２の角部Ｃでの気密保持片２０の基準部１２に対する自然状態の位置からの起き上がりが当該位置保持部３０により抑制され、開口５２の全周に亘ってガスケット当たりが一様となる。
【００５２】
また、位置保持部３０は、長手方向に断続的に設けられてもよい。
【図面の簡単な説明】
【００５３】
【図１】本実施形態に係るガスケットの正面図である。
【図２】同実施形態に係るガスケットにおける（ａ）は左側面図であり、（ｂ）は連通孔の配設状態を示すために連通孔の間の部位を中間省略した参考図であり、（ｃ）は右側面図である。
【図３】同実施形態に係るガスケットにおける（ａ）は平面図であり、（ｂ）は底面図である。
【図４】同実施形態に係るガスケットの拡大正面図である。
【図５】同実施形態に係るガスケットにおける（ａ）は図２（ａ）のＡ−Ｂ部拡大左側面図であり、（ｂ）は図２（ａ）のＡ−Ｂ部拡大右側面図を示す。
【図６】同実施形態に係るガスケットにおける（ａ）は図２（ａ）のＡ−Ｂ部拡大平面図であり、（ｂ）は図２（ａ）のＡ−Ｂ部拡大底面図である。
【図７】同実施形態に係るガスケットにおける（ａ）は図５（ａ）のＣ−Ｃ断面図であり、（ｂ）は図７（ａ）のＤ−Ｄ断面図である。
【図８】同実施形態に係るガスケットにおける（ａ）は環境試験装置に取り付けた場合の使用状態を示す参考図であり、（ｂ）は環境試験装置に取り付けた状態を示す参考図である。
【図９】同実施形態に係るガスケットが開口の角部に取り付けられた場合の気密保持片の起き上がり状態を示す図である。
【図１０】同実施形態に係るガスケットから位置保持部を取り除いたガスケットが開口の角部に取り付けられた場合の気密保持片の起き上がり状態を示す図である。
【図１１】従来のガスケットの正面図である。
【図１２】従来のガスケットが開口の角部に取り付けられた場合の気密保持片の起き上がり状態を示す図である。
【符号の説明】
【００５４】
１０   本体部（ガスケット本体部）
１２ａ 上端面
１４   挿入部（挿入片）
１６   係合部
２０   気密保持片
２２   傾斜部（気密保持片の先端側）
２２ａ 傾斜部の上端面を臨む面
３０   位置保持部
３２   中空部
３４   連通孔
５０   環境試験装置
５２   開口
５４   試験槽（第１の部材）
５４ａ 開口周縁部
５６   扉（第２の部材）
５６ａ 取付部位（開口周縁部に対応する部位）
６０   取付凹部（溝状の凹部）
６２   突出部
Ｃ     開口の角部
Ｇ     ガスケット
Ｓ     槽内空間（気密室）
【図１】
2010084927.tif 000003
【図２】
2010084927.tif 000004
【図３】
2010084927.tif 000005
【図４】
2010084927.tif 000006
【図５】
2010084927.tif 000007
【図６】
2010084927.tif 000008
【図７】
2010084927.tif 000009
【図８】
2010084927.tif 000010
【図９】
2010084927.tif 000011
【図１０】
2010084927.tif 000012
【図１１】
2010084927.tif 000013
【図１２】
2010084927.tif 000014